(57)【要約】【課題】受皿が過剰な満杯状態となったままで遊技が継続される不具合を解消すると共に、受皿内へ遊技球を戻す必要が発生した場合には簡単な作業によって戻すことができるようにした。【解決手段】遊技盤下方の遊技機前面に突設されて上面に遊技球を貯留する受皿を有した突出ユニット３１と、突出ユニットの前面適所に開口形成されて補助容器Ｃを着脱自在に収容する補助容器収容凹所５０と、受皿底面の排出穴４ａから突出ユニットの下方に遊技球を排出するための第１の排出経路３２と、第１の排出経路の途中で分岐して横方向へ延びて補助容器収容凹所の内壁にて開口した第２の排出経路３５と、開閉動作することにより排出穴から落下してきた遊技球を何れか一方の排出経路に選択的に導くシャッタ４０と、シャッタを手動操作する操作部４１と、排出穴を開閉する球抜きシャッタ４３と、該球抜きシャッタを駆動する球抜き機構４４と、を備えた。【選択図】図５
2010207387.tif 000002
【特許請求の範囲】
【請求項１】
遊技盤下方の遊技機前面に突設されて上面に遊技球を貯留する受皿を有した突出ユニットと、該突出ユニットの前面適所に開口形成されて補助容器を着脱自在に収容する補助容器収容凹所と、前記受皿の底面に設けた排出穴から前記突出ユニットの下方に遊技球を排出するための第１の排出経路と、該第１の排出経路の途中で分岐して横方向へ延びて前記補助容器収容凹所の内壁にて開口した第２の排出経路と、開閉動作することにより前記排出穴から落下してきた遊技球を前記第１の排出経路と前記第２の排出経路の何れか一方に選択的に導くシャッタと、該シャッタを手動操作する操作部と、前記排出穴を開閉する球抜きシャッタと、該球抜きシャッタを駆動する球抜き機構と、を備えたことを特徴とする受皿の球排出構造。
【請求項２】
前記第２の排出経路の排出口は、前記補助容器収容凹所内にセットされた補助容器内に遊技球を供給可能な位置に開口していることを特徴とする請求項１に記載の受皿の球排出構造。
【請求項３】
前記補助容器収容凹所には、前記補助容器から溢れた遊技球を受け入れる溢れ球導入口が設けられており、該溢れ球導入口は前記突出ユニットの下方へ遊技球を排出するための溢れ球排出経路に接続されていることを特徴とする請求項１又は２に記載の受皿の球排出構造。
【請求項４】
前記溢れ球導入口は、前記補助容器の上部開口外周に沿って補助容器収容凹所内壁に配置された樋状部に入った遊技球を導入するように構成されていることを特徴とする請求項１乃至３の何れか一項に記載の受皿の球排出構造。
【請求項５】
前記補助容器収容凹所の底面には、遊技球を受け入れる底部導入口が設けられており、該底部導入口は前記突出ユニットの下方へ遊技球を排出するための底部排出経路に接続されていることを特徴とする請求項１乃至４の何れか一項に記載の受皿の球排出構造。
【請求項６】
前記溢れ球排出経路と前記底部排出経路は、前記第１の排出経路に接続されていることを特徴とする請求項３乃至５の何れか一項に記載の受皿の球排出構造。
【請求項７】
前記補助容器内に遊技球が存在していること、或いは／及び、前記補助容器から遊技球が前記樋状部に溢れ出たことを検知、及び報知する手段を備えたことを特徴とする請求項３乃至６の何れか一項に記載の受皿の球排出構造。
【請求項８】
請求項１乃至７の何れか一項に記載の受皿の球排出構造を備えたことを特徴とするパチンコ遊技機。
【発明の詳細な説明】
【技術分野】
【０００１】
本発明は受皿が満杯の時に賞球が払い出され続けることによって発生する不具合を解決することができる受皿の球排出構造、及びパチンコ遊技機に関するものである。
【背景技術】
【０００２】
パチンコ遊技機に近接して装備された球貸し機から払い出された貸し球は遊技機に設けた遊技球供給口から受皿内に払い出される。
一方、パチンコ遊技機においては、遊技盤の盤面に入賞口、風車、センター役物、画像表示装置、電飾装置等の各種盤面部品を設けて遊技内容の多様性を図っている。そして、遊技盤面を流下する遊技球が始動口へ入賞するのを契機として電子的な抽選が行われ、大当たりに当選して変動入賞口が所定時間開放される間に、遊技球をできるだけ多く入賞させて、遊技者が賞球を獲得する遊技が行われている。賞球は前記遊技球供給口から受皿上に供給される。
受皿内に賞球を供給する遊技球供給口から多量の賞球が受皿内に供給された結果として受皿が満杯状態になって遊技球供給口の内奥部にまで賞球が滞留した状態になると、遊技球供給口からの賞球の払出しの有無を検知する払出し検知センサが誤作動を起こし易くなる。即ち、遊技球供給口の内奥部まで賞球が滞留した状態になると、払出し検知センサが正常に作動し得なくなる結果として、ホール側のコンピュータは大当たりにより賞球の払出しが行われているにも拘わらず大当たり終了後の出玉である等の遊技者に不利な誤判定を行う可能性がある。或いは、受皿が満杯になると、遊技球発射装置が停止して発射不能に陥ることもある。
このような不具合に対しては受皿内の遊技球を受皿の下方に配置されるドル箱内に抜き落とすための球抜きレバーが装備されているが、遊技者が球抜きレバーを操作して遊技球を適宜ドル箱に抜き落とした結果、少量の遊技球がドル箱内に残っているに過ぎない場合には、後にドル箱内の遊技球を受皿に戻す必要が生じてドル箱内の少量の遊技球を手で掴んで受皿に戻すとすればその作業は極めて繁雑なものとなる。このため、出玉数が少ない場合、或いは大当たり時の出玉数が少ないタイプの機種等においては、遊技者は受皿内が満杯になってもドル箱に落下させずに放置して遊技を継続する傾向が強くなり、上記の如きホール側のコンピュータによる賞球払出しに関する誤検知や発射装置の作動不能等の不具合をもたらしている。
【０００３】
一方、遊技場には、ドル箱内の遊技球数を遊技者が計数するための計量カップが装備されており、ドル箱内の遊技球の数量が十分に多い場合にはこの計量カップによって遊技球を掬って受皿に戻す作業は効率的であるが、ドル箱内の遊技球の数量が少ない場合には計量カップによる遊技球の掬い取りはかえって非効率であり、遊技者から敬遠され易い。このため、ドル箱内の遊技球数が少ない場合、遊技者は満杯になっても遊技球をドル箱へ抜き落とすことを躊躇する傾向にあり、受皿の満杯状態が継続することによって上記の如き不具合が発生する。
つまり、従来の遊技機では、受皿が満杯になった場合にはドル箱へ遊技球を落下させるしか満杯解消方法がなかったが、ドル箱に溜まった遊技球の数量が少ない場合には受皿に戻す際の手作業が繁雑になるため、上記の如き不具合が発生していた。
特許文献１、２には遊技球等を収容する容器について開示されているが、受皿が満杯になることによって発生する上記不具合を解決するための技術については開示されていない。
【先行技術文献】
【特許文献】
【０００４】
【特許文献１】特開平１１−２１６２６３号公報
【特許文献２】特開平１１−１０４３２５号公報
【発明の概要】
【発明が解決しようとする課題】
【０００５】
以上のように、受皿が満杯になった状態で遊技を継続すると、後続の賞球が遊技球供給口内奥部に滞留することにより賞球払出しに関する誤検知や発射装置の作動不能等の不具合が発生することがある。また、受皿が満杯になった場合の解消手段は球抜きレバーを操作してドル箱へ抜き落とすしかなかった。このため、出玉が少ない場合に遊技者はドル箱に少量の遊技球を溜めた場合の不具合（受皿に戻す際の煩雑さ）を考慮してドル箱に遊技球を抜き落とすことによる満杯解消のための操作をしようとせず、遊技を継続する傾向がある。このため上記の如き誤検知が発生し、ホール側のコンピュータが大当たりにより賞球の払出しが行われているにも拘わらず、大当たり終了後の出玉である等の遊技者に不利な誤判定を行ったり、遊技球発射装置が停止して発射不能に陥ることがあった。
本発明は上記に鑑みてなされたものであり、受皿内の遊技球を遊技者の任意の操作によってドル箱とは別に設けた補助容器に移動させることができるように構成することにより、受皿が過剰な満杯状態となったままで遊技が継続される不具合を解消すると共に、受皿内へ遊技球を戻す必要が発生した場合には補助容器内の遊技球を一括した作業によって戻すことができるようにした受皿の球排出構造、及びパチンコ遊技機を提供することを目的としている。
【課題を解決するための手段】
【０００６】
上記目的を達成するため、請求項１の発明に係る受皿の球排出構造は、遊技盤３下方の遊技機前面に突設されて上面に遊技球を貯留する受皿４を有した突出ユニット３１と、該突出ユニットの前面適所に開口形成されて補助容器Ｃを着脱自在に収容する補助容器収容凹所５０と、前記受皿４の底面に設けた排出穴４ａから前記突出ユニット３１の下方に遊技球を排出するための第１の排出経路３２と、該第１の排出経路の途中で分岐して横方向へ延びて前記補助容器収容凹所５０の内壁にて開口した第２の排出経３５と、開閉動作することにより前記排出穴４ａから落下してきた遊技球を前記第１の排出経路３２と前記第２の排出経路３５の何れか一方に選択的に導くシャッタ４０と、該シャッタを手動操作する操作部４１と、前記排出穴を開閉する球抜きシャッタ４２と、該球抜きシャッタを駆動する球抜き機構４４と、を備えたことを特徴とする。
出玉が少ない状況下において受皿内に貯留された遊技球が満杯状態になった場合等に、遊技者が、操作部によりシャッタを閉止させた状態で、球抜きボタンを操作して排出穴を開放させると、排出穴から排出された受皿内の遊技球は第２の排出経路側へ導かれて補助容器内に貯留される。
出玉が十分な量に達している状況下で受皿内が満杯となった場合には、球抜きボタンを操作して排出穴を開放した状態で、操作部を操作してシャッタを開放させることにより、受皿内の遊技球を第１の排出経路を経由してドル箱内に排出させることができる。この場合には、ドル箱内に十分な量の遊技球が貯留されることが期待できるため、ドル箱内の遊技球を必要に応じて受皿内の戻す作業も容易となり、補助容器を併用する必要性が少なくなる。
【０００７】
請求項２の発明に係る受皿の球排出構造は、前記第２の排出経路３５の排出口３５ｂは、前記補助容器収容凹所５０内にセットされた補助容器Ｃ内に遊技球を供給可能な位置に開口していることを特徴とする。
請求項３の発明に係る受皿の球排出構造は、前記補助容器収容凹所５０には、前記補助容器Ｃから溢れた遊技球を受け入れる溢れ球導入口５１が設けられており、該溢れ球導入口は前記突出ユニット３１の下方へ遊技球を排出するための溢れ球排出経路５５に接続されていることを特徴とする。
補助容器が満杯になって遊技球が補助容器から溢れ出した場合には、溢れ出した遊技球は樋状部を経由して溢れ球排出経路から外部へ排出される。このため、補助容器内の遊技球量は常に適正量に維持され、過剰に満杯状態となることはない。
請求項４の発明に係る受皿の球排出構造は、前記溢れ球導入口５１は、前記補助容器Ｃの上部開口外周に沿って補助容器収容凹所内壁に配置された樋状部５２に入った遊技球を導入するように構成されていることを特徴とする。
【０００８】
請求項５の発明に係る受皿の球排出構造は、前記補助容器収容凹所５０の底面には、遊技球を受け入れる底部導入口５６が設けられており、該底部導入口は前記突出ユニットの下方へ遊技球を排出するための底部排出経路５８に接続されていることを特徴とする。
請求項６の発明に係る受皿の球排出構造は、前記溢れ球排出経路５５と前記底部排出経路５８は、前記第１の排出経路３２に接続されていることを特徴とする。
請求項７の発明に係る受皿の球排出構造は、前記補助容器Ｃ内に遊技球が存在していること、或いは／及び、前記補助容器から遊技球が前記樋状部５２に溢れ出たことを検知、及び報知する手段を備えたことを特徴とする。
請求項８の発明に係るパチンコ遊技機は、請求項１乃至７の何れか一項に記載の受皿の球排出構造を備えたことを特徴とする。
【発明の効果】
【０００９】
本発明によれば、受皿内の遊技球を遊技者の任意の操作によってドル箱とは別に設けた補助容器に移動させることができるように構成したので、受皿が過剰な満杯状態となったままで遊技が継続される不具合を解消すると共に、受皿内へ遊技球を戻す必要が発生した場合に、少量しか貯留されていないドル箱内の遊技球を戻すための繁雑な作業を行うことなく、補助容器内の遊技球を一括した操作によって戻すことができる。
【図面の簡単な説明】
【００１０】
【図１】本発明の実施形態に係るパチンコ遊技機の一例を示した全体正面図である。
【図２】受皿とその周辺部の構成を示す斜視図である。
【図３】本発明の一実施形態に係る球排出構造を備えた突出ユニット及びドル箱の外観斜視図である。
【図４】突出ユニットから受皿を除去した状態を示す斜視図である。
【図５】（ａ）は球排出構造の要部構成を示す斜視図であり、（ｂ）（ｃ）はシャッタの動作を説明する断面図である。
【図６】（ａ）及び（ｂ）は球抜き機構の構成例を示す説明図である。
【図７】補助容器収容凹所の構成を示す斜視図である。
【図８】補助容器収容凹所の底部の構成説明図である。
【発明を実施するための形態】
【００１１】
以下、本発明を図面に示した実施の形態により詳細に説明する。
図１は、本発明の実施形態に係るパチンコ遊技機の一例を示した全体正面図である。
パチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受皿４と、受皿４内の遊技球を発射する発射レバー５等が設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には開口部６が設けられ、開口部６の内部には画像表示装置７が配置されている。画像表示装置７は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
開口部６の下方には、画像表示装置７の特別図柄を可変表示させるための可変入賞装置８が設けられている。
また、開口部６の左側には、遊技盤の右下部に配置された図示しない普通画像表示装置に表示される普通図柄を作動させるためのゲート１３が設けられている。さらに可変入賞装置８の下方には、特別遊技状態の一つである大当たり状態のときに開成状態になる開閉扉を有する大入賞口１４が設けられている。
遊技盤３には図示しない普通入賞口やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【００１２】
普通図柄表示装置に表示される普通図柄は、１個または複数個の図柄を変動表示可能であり、普通図柄始動口としてのゲート１３が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１３を遊技球が通過したことを条件に乱数制御により普通図柄が所定態様となった場合に、可変入賞装置８に設けられた電動式チューリップから成る可動片を所定時間、開成動作するように構成されている。
画像表示装置７に表示される特別図柄は、停止図柄が予め定められた図柄の組合せ、例えば同一図柄の組合せとなった場合に大当たり状態となるように構成されている。また特別図柄は可変入賞装置８の始動入賞口１１、又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
次に、図２は受皿とその周辺部の構成を示す斜視図であり、図３は本発明の一実施形態に係る球排出構造を備えた突出ユニット及びドル箱の外観斜視図であり、図４は突出ユニットから受皿を除去した状態を示す斜視図であり、図５（ａ）は球排出構造の要部構成を示す斜視図であり、図５（ｂ）（ｃ）はシャッタの動作を説明する断面図であり、図６（ａ）及び（ｂ）は球抜き機構の構成例を示す説明図であり、図７は補助容器収容凹所の構成を示す斜視図であり、図８は補助容器収容凹所の底部の構成説明図である。
本発明の特徴的な構成は、遊技球を貯留する受皿４における球排出構造３０にある。
即ち、本発明の球排出構造３０は、図３乃至図５に示すように遊技盤下方の遊技機前面に突設されて上面に遊技球を貯留する受皿４を有した突出ユニット３１と、突出ユニット３１の前面適所に開口形成されて補助容器（計量カップ）Ｃを着脱自在に収容する補助容器収容凹所５０と、受皿４の底面に設けた排出穴４ａから突出ユニット３１の直下に配置されたドル箱６０へ遊技球Ｂを排出するために上下端部が開口したダクト状の第１の排出経路３２と、第１の排出経路３２の途中で分岐して横方向へ延びて補助容器収容凹所５０の内壁にて開口したダクト状の第２の排出経路３５と、開閉動作することにより排出穴４ａから落下してきた遊技球を第１の排出経路３２と第２の排出経路３５の何れか一方に選択的に導くシャッタ４０と、シャッタ４０を手動操作するために突出ユニットの前面に設けられた操作部４１と、受皿内の遊技球を排出穴４ａから下方へ抜き取るための球抜きボタン４２と、排出穴４ａを開閉する球抜きシャッタ４３と、球抜きシャッタ４３を開閉駆動する球抜き機構４４等を備えている。
本発明においては、排出穴４ａから排出された遊技球Ｂは、遊技者が球抜きボタン４２と操作部４１を事前に操作することによって、突出ユニット３１の下方に配置されたドル箱６０か、或いは補助容器Ｃの何れかに選択的に排出される。
また、突出ユニット３１の上面には図示しない貸し球ボタンが設けられており、貸し球ボタンを操作することにより、パチンコ遊技機に近接配置された球貸し機から放出された貸し球が受皿近傍に設けた遊技球供給口９から受皿４内に払い出される。
【００１４】
次に排出穴４ａを開閉する球抜きシャッタ４３を駆動する球抜き機構４４の構成を図６に基づいて説明する。なお、図６の球抜き機構４４は図２等に示した構成例とは異なり、球抜きボタン（球抜きレバー）４２が突出ユニット３１の上面に設けられている例を示している。
球抜きレバー４２は突出ユニット３１により支持したレバーホルダ４５によって横方向へ進退自在に構成されており、球抜きレバー４２をバネ４２ａに抗して右方向へスライドさせることにより球抜きレバー４２に一端を固定されたワイヤー４６が引っ張られ、他端に係止した球抜きシャッタ４３が右方向へスライドして排出穴４ａを開放させる。このため、受皿内の遊技球は第１の排出経路３２内に落下してゆく。また、球抜きレバーから手を放すと、バネ４２ａ、４２ｂの復元力によって球抜きシャッタ４３は元の位置に戻り排出穴４ａを閉止する。このため、受皿内の遊技球は受皿内に貯留され続ける。
なお、この球抜き機構４４の構成は、球抜きボタン４２を突出ユニットの前面に設けたタイプにも適用することができる。
【００１５】
次に、第１の排出経路３２は上端開口３２ａを受皿底面の排出穴４ａと連通させる一方で、上端開口３２ａよりも下方の側面に第２の排出経路３５の端部開口３５ａを接続する。更に、第２の排出経路の端部開口３５ａよりも下方の第１の排出経路３２にはシャッタ４０を設けて、排出穴４ａから第１の排出経路３２内に落下してきた遊技球を下端開口３２ｂか第２の排出経路３５かの何れか一方に選択的に振り分けるように構成する。シャッタ４０は第１の排出経路３２を構成するダクトに設けた切欠き３２ｃからダクト内部に出没自在に支持されており、突出ユニット３１の前面に設けたスリット３１ａから前方に突出した操作部４１と連結されている。シャッタ４０は操作部４１をスリット３１ａに沿って横方向へ進退させる際に横方向へ進退することにより切欠き３２ｃから第１の排出経路３２内に出没するように構成され、図５（ｂ）のように第１の排出経路内に突出したときには下端開口３２ｂへの排出路を閉塞して、球抜きシャッタ４３によって開放された排出穴４ａ（図５（ｂ）中に破線で図示）から落下してきた全ての遊技球を第２の排出経路３５へ案内する。また、図５（ｃ）のように球抜きシャッタ４３が開放した状態でシャッタ４０が第１の排出経路内部から退避した時には下端開口３２ｂへの経路が開放するため、排出穴からの遊技球は下端開口３２ｂへ向かい、ドル箱内に落下する。
【００１６】
シャッタ４０の開放による第１の排出経路３２の開放は球抜きシャッタ４３が排出穴４ａを開放している場合のみ有効であり、排出穴４ａが閉止しているときには遊技球を第１の上端開口３２ａから排出経路３２内に落下させることはできない。
補助容器収容凹所５０は、突出ユニット３１の適所、本例では左寄りの前面に開口形成された凹所であり、カップ形状の補助容器Ｃの開口部を上向きにした状態で凹所内に嵌合することにより補助容器Ｃのセットは完了する。なお、必要に応じて補助容器の位置ずれや脱落を防止するために凹所の内壁にバネ、ゴム、スポンジ等から成るパッド５３を配置しておき、パッドによって補助容器外面を圧接支持するようにしてもよい。
第２の排出経路３５の排出口３５ｂは、補助容器収容凹所５０内にセットされた補助容器Ｃ内に遊技球を供給可能な位置に開口している。本例では、補助容器収容凹所５０の天井面に排出口３５ｂが位置している。なお、補助容器の形状や開口部の位置の違いによって排出口３５ｂの位置を種々選定可能である。第２の排出経路３５は上流から進入してきた遊技球が排出口３５ｂからスムーズに補助容器内に落下するように下向きに傾斜させておくことが好ましい。
なお、第１の排出経路３２を略垂直な排出経路とすることにより、排出穴４ａを開放した状態でシャッタ４０を開放した際には受皿内の遊技球はスムーズに（第２の排出経路３５へ向かうことなく）第１の排出経路を経由してドル箱へ排出される一方で、シャッタ４０を閉止した場合には排出口３５ｂへ向かうことなく第２の排出経路３５へ移動する。なお、シャッタ４０の開放時に仮に僅かな数の遊技球が補助容器側へ移動したとしても、補助容器内に遊技球が存在することを検知して報知する手段を設けることにより遊技者が補助容器内の遊技球を取り忘れる虞はない。
【００１７】
また、図７に示すように補助容器収容凹所５０には、セットされた補助容器Ｃの開口部から溢れた遊技球を受け入れる溢れ球導入口５１が設けられており、溢れ球導入口５１はドル箱６０へ遊技球を排出するための溢れ球排出経路５５に接続されている。溢れ球導入口５１は、補助容器の開口部外周に沿った補助容器収容凹所内壁に配置された樋状部５２に入った遊技球を導入するように構成されている。樋状部５２は、補助容器Ｃの開口部よりも下方の凹所内壁に沿って円弧状に配置されており、補助容器の開口部から補助容器収容凹所５０の前面開口を除いた方向に溢れ出る遊技球を樋状部５２内に捕捉して溢れ球導入口５１へ導くことができるように構成されている。従って、樋状部５２の底面は溢れ球導入口５１へ向けて下向き傾斜させるのが好ましい。溢れ球排出経路５５は第２の排出経路３５よりも下方位置において第１の排出経路３２と接続されている。溢れ球排出経路５５は、その内部に流入した遊技球が第１の排出経路３２側へ流下し易いように斜め下向きに傾斜させるのが好ましい。
【００１８】
また、補助容器収容凹所５０の底面５６は、補助容器Ｃを補助容器収容凹所から取り出す際に落下する遊技球や、樋状部５２によって捕捉されなかった遊技球を受け入れ易くするためにすり鉢状に構成されており、底面５６には落下してきた遊技球を受け入れる底部導入口５７が設けられている。底部導入口５７はドル箱へ遊技球を排出するための底部排出経路５８に接続されている。底部排出経路５８は、第１の排出経路３２と接続されており、第１の排出経路に向けて下向き傾斜している。
各排出経路３２、３５、溢れ球排出経路５５、底部排出経路５８は、突出ユニット３１の外装部内に収納されているため外観を悪化させる虞はない。
【００１９】
以上の構成を備えた球排出構造３０において、例えば、出玉が少ない状況下において受皿４内に貯留された遊技球が満杯状態になった場合等に、遊技者が、操作部４１によりシャッタ４０を閉止させた状態で、球抜きボタン４２を操作して排出穴４ａを開放させると、排出穴４ａから排出された受皿内の遊技球は第２の排出経路３５側へ導かれて補助容器Ｃ内に貯留される。この操作を適宜実施することにより補助容器Ｃが満杯になり、更に遊技球が補助容器から溢れ出した場合には溢れ出した遊技球は樋状部５２を経由して溢れ球排出経路５５からドル箱６０へ排出される。このため、補助容器内の遊技球量は常に適正量に維持され、過剰に満杯状態となることはない。遊技者が受皿内に遊技球を補充しようとする際に、ドル箱内には十分な量の遊技球が貯留されていなくても、補助容器内に十分な遊技球が貯留されている場合には、ドル箱内の少量の遊技球をわざわざ手や計量カップを用いて取り出す煩雑な作業を行うことなく、遊技球を貯留した補助カップを補助容器収容凹所５０内から取り出して受皿内に補充すればよく、補充の作業性が格段に高まり、遊技者の集中力を中断させる虞がなくなる。遊技収容時に補助カップＣ内に遊技球が貯留されている場合には補助容器からドル箱内に排出してから精算すればよい。
【００２０】
なお、補助容器Ｃ内の遊技球が満杯になったことや、溢れ出していることを検知する検知手段と報知手段を設けて遊技者に報知するようにしてもよい。即ち、補助容器内に遊技球が存在していること、或いは／及び、補助容器から遊技球が前記樋状部に溢れ出たことを検知、及び報知する手段を備えることにより、補助容器内の遊技機の取り忘れ、遊技者に意に反して補助容器が満杯状態になること等を防止することが可能となる。
なお、出玉が十分な量に達している状況下で受皿内が満杯となった場合には、球抜きボタン４２を操作して排出穴４ａを開放した状態で、操作部４１を操作してシャッタ４０を開放させることにより、受皿内の遊技球を第１の排出経路３２を経由してドル箱６０内に排出させることができる。この場合には、ドル箱内に十分な量の遊技球が貯留されることが期待できるため、ドル箱内の遊技球を必要に応じて受皿内の戻す作業も容易となり、補助容器を併用する必要性が少なくなる。
また、補助容器を補助容器収容凹所５０から取り出す際等に遊技球が補助容器収容凹所５０の底部に落下することがあるが、その場合にはすり鉢状の凹所底面から底部排出経路５８を経由して遊技球はドル箱内に排出されるため、補助容器を凹所内に戻す際の支障となることがない。
【符号の説明】
【００２１】
１…パチンコ遊技機、３…遊技盤、３ａ…遊技領域、４…受皿、４ａ…排出穴、５…発射レバー、６…開口部、７…画像表示装置、８…可変入賞装置、１１…始動入賞口、１３…ゲート、１４…大入賞口、１５…アウト口、３０…球排出構造、３１…突出ユニット、３１ａ…スリット、３２…第１の排出経路、３２ａ…上端開口、３２ｂ…下端開口、３５…第２の排出経路、３５ａ…端部開口、３５ｂ…排出口、４０…シャッタ、４１…操作部、４２…球抜きボタン、４２ａ…バネ、４３…球抜きシャッタ、４４…球抜き機構、４５…レバーホルダ、４６…ワイヤー、５０…補助容器収容凹所、５１…球導入口、５２…樋状部、５５…球排出経路、５６…底面、５７…底部導入口、５８…底部排出経路、６０…ドル箱
【図１】
2010207387.tif 000003
【図２】
2010207387.tif 000004
【図３】
2010207387.tif 000005
【図４】
2010207387.tif 000006
【図５】
2010207387.tif 000007
【図６】
2010207387.tif 000008
【図７】
2010207387.tif 000009
【図８】
2010207387.tif 000010